【手続補正書】
【提出日】令和3年9月27日(2021.9.27)
【手続補正１】
【補正対象書類名】特許請求の範囲
【補正対象項目名】全文
【補正方法】変更
【補正の内容】
【特許請求の範囲】
【請求項１】
電動車両用の充電装置の利用を希望する利用者が所有し、前記充電装置の充電開始命令を送信する利用者端末と、
前記充電開始命令を送信した前記利用者端末の認証を行う認証部と、
前記充電装置に接続され、前記認証部による認証が成功すると前記充電装置を制御して充電を開始させる充電制御装置と、を備えた充電サービスシステムであって、
前記利用者端末は、前記充電装置の充電終了命令を送信し、
前記充電制御装置は、前記利用者端末から前記充電終了命令が送信されると前記充電装置を制御して充電を終了し、
前記充電制御装置は、充電開始時に充電開始情報を送信し、充電終了時に充電終了情報を送信し、
前記充電制御装置から送信された前記充電開始情報および前記充電終了情報から求めた充電時間に応じた料金を算出して、課金するサーバをさらに備え、
前記サーバは、前記充電終了情報および前記充電開始情報に基づいて前記充電装置の空き情報を求め、前記充電装置の空き情報を前記利用者端末に提供する、
充電サービスシステム。
【請求項２】
請求項１に記載の充電サービスシステムであって、
前記充電制御装置は、充電ケーブルが差し込まれるコンセントと、前記コンセントに差し込まれた前記充電ケーブルをロックするロック機構と、充電開始時に前記ロック機構を制御して前記充電ケーブルをロックし、充電終了時に前記充電ケーブルのロックを解除するロック制御部と、を有する、
充電サービスシステム。
【請求項３】
請求項１又は２に記載の充電サービスシステムであって、
前記充電制御装置は、前記充電装置に着脱可能に設けられている、
充電サービスシステム。
【請求項４】
電動車両用の充電装置の利用を希望する利用者が所有する利用者端末が、前記充電装置の充電開始命令を送信するステップと、
認証部が、前記充電開始命令を送信した前記利用者端末の認証を行うステップと、
前記充電装置に接続された充電制御装置が、前記認証部による認証が成功すると前記充電装置を制御して充電を開始させるステップと、
前記充電制御装置が、充電開始時に充電開始情報を送信するステップと、
前記利用者端末が充電終了命令を送信するステップと、
前記充電制御装置が、前記利用者端末から前記充電終了命令が送信されると前記充電装置を制御して充電を終了させるステップと、
前記充電制御装置が、充電終了時に充電終了情報を送信するステップと、
サーバが、前記充電制御装置から送信された前記充電開始情報および前記充電終了情報から求めた充電時間に応じた料金を算出して、課金するステップと、
前記サーバが、前記充電終了情報および前記充電開始情報に基づいて前記充電装置の空き情報を求め、前記充電装置の空き情報を前記利用者端末に提供するステップと、を備えた、
充電サービス方法。
【請求項５】
請求項４に記載の充電サービス方法であって、
前記利用者端末が、前記充電開始命令を送信する前に、前記利用者が充電ケーブルを用
いて前記充電装置と前記電動車両とを接続するステップとを備えた、
充電サービス方法。
【手続補正２】
【補正対象書類名】明細書
【補正対象項目名】発明の名称
【補正方法】変更
【補正の内容】
【発明の名称】充電サービスシステム、および、充電サービス方法
【手続補正３】
【補正対象書類名】明細書
【補正対象項目名】０００６
【補正方法】変更
【補正の内容】
【０００６】
本発明は、上述した事情に鑑みてなされたものであり、その目的は、利用者が誤って利用許可されていない充電装置を使用してしまうことを抑制できる充電サービスシステム、および、充電サービス方法を提供することにある。
【手続補正４】
【補正対象書類名】明細書
【補正対象項目名】０００７
【補正方法】変更
【補正の内容】
【０００７】
前述した目的を達成するために、本発明に係る充電サービスシステム、および、充電サービス方法は、下記［１］〜［５］を特徴としている。
［１］
電動車両用の充電装置の利用を希望する利用者が所有し、前記充電装置の充電開始命令を送信する利用者端末と、
前記充電開始命令を送信した前記利用者端末の認証を行う認証部と、
前記充電装置に接続され、前記認証部による認証が成功すると前記充電装置を制御して充電を開始させる充電制御装置と、を備えた充電サービスシステムであって、
前記利用者端末は、前記充電装置の充電終了命令を送信し、
前記充電制御装置は、前記利用者端末から前記充電終了命令が送信されると前記充電装置を制御して充電を終了し、
前記充電制御装置は、充電開始時に充電開始情報を送信し、充電終了時に充電終了情報を送信し、
前記充電制御装置から送信された前記充電開始情報および前記充電終了情報から求めた充電時間に応じた料金を算出して、課金するサーバをさらに備え、
前記サーバは、前記充電終了情報および前記充電開始情報に基づいて前記充電装置の空き情報を求め、前記充電装置の空き情報を前記利用者端末に提供する、
充電サービスシステムであること。
［２］
［１］に記載の充電サービスシステムであって、
前記充電制御装置は、充電ケーブルが差し込まれるコンセントと、前記コンセントに差し込まれた前記充電ケーブルをロックするロック機構と、充電開始時に前記ロック機構を制御して前記充電ケーブルをロックし、充電終了時に前記充電ケーブルのロックを解除するロック制御部と、を有する、
充電サービスシステムであること。
［３］
［１］又は［２］に記載の充電サービスシステムであって、
前記充電制御装置は、前記充電装置に着脱可能に設けられている、
充電サービスシステムであること。
［４］
電動車両用の充電装置の利用を希望する利用者が所有する利用者端末が、前記充電装置の充電開始命令を送信するステップと、
認証部が、前記充電開始命令を送信した前記利用者端末の認証を行うステップと、
前記充電装置に接続された充電制御装置が、前記認証部による認証が成功すると前記充電装置を制御して充電を開始させるステップと、
前記充電制御装置が、充電開始時に充電開始情報を送信するステップと、
前記利用者端末が充電終了命令を送信するステップと、
前記充電制御装置が、前記利用者端末から前記充電終了命令が送信されると前記充電装置を制御して充電を終了させるステップと、
前記充電制御装置が、充電終了時に充電終了情報を送信するステップと、
サーバが、前記充電制御装置から送信された前記充電開始情報および前記充電終了情報から求めた充電時間に応じた料金を算出して、課金するステップと、
前記サーバが、前記充電終了情報および前記充電開始情報に基づいて前記充電装置の空き情報を求め、前記充電装置の空き情報を前記利用者端末に提供するステップと、を備えた、
充電サービス方法であること。
［５］
［４］に記載の充電サービス方法であって、
前記利用者端末が、前記充電開始命令を送信する前に、前記利用者が充電ケーブルを用
いて前記充電装置と前記電動車両とを接続するステップとを備えた、
充電サービス方法であること。
【手続補正５】
【補正対象書類名】明細書
【補正対象項目名】０００８
【補正方法】変更
【補正の内容】
【０００８】
上記［１］、［４］および［５］の構成の充電サービスシステム、および、充電サービス方法によれば、充電制御装置は、利用者端末の認証が成功すると充電装置による充電を開始させるので、利用者が誤って利用許可されていない充電装置を使用してしまうことを抑制できる。
【手続補正６】
【補正対象書類名】明細書
【補正対象項目名】０００９
【補正方法】変更
【補正の内容】
【０００９】
また、利用者端末は、前記充電装置の充電終了命令を送信し、充電制御装置は、利用者端末から充電終了命令が送信されると充電装置を制御して充電を終了する。これにより、利用者が充電を終了したいタイミングで充電を終了することができる。また、サーバは、充電開始情報、充電終了情報に基づいて求めた充電時間に応じた料金を課金することができる。また、サーバが、充電開始情報、充電終了情報から充電装置の空き状況を把握することができる。
【手続補正７】
【補正対象書類名】明細書
【補正対象項目名】００１０
【補正方法】変更
【補正の内容】
【００１０】
上記［２］の構成の充電サービスシステムによれば、ロック制御部が、充電開始時にロック機構を制御して充電ケーブルをロックし、充電終了時に充電ケーブルのロックを解除する。これにより、利用者が充電中に充電装置から離れている間、充電ケーブルが盗難にあうのを抑制することができる。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
上記［３］の構成の充電サービスシステムによれば、充電制御装置が充電装置に着脱可能に設けられているので、充電装置に充電制御装置を装着するだけ容易に充電装置の認証機能を持たせることができる。